(57)【要約】【課題】手術の最中に患者から血液を効率的に回収できる医療デバイスを提供する。【解決手段】本発明に係る医療デバイス１００は、液体を貯留可能な収容空間１１と、収容空間に連通する開口部１２と、を備える容器１０と、体液を吸着したガーゼＧを収容可能な収容空間３９と、側面３１に形成されたスリット３４と、を備え、容器の収容空間に回転可能に配置される回転体形状の収容部２０と、容器に収容部が収容された状態において、スリットを閉じた状態と開いた状態とに切り替え可能な開閉部４０と、を有する【選択図】図２
2018138093.tif 000002
【特許請求の範囲】
【請求項１】
液体を貯留可能な第１空間と、前記第１空間に連通する開口部と、を備える貯留部と、
体液を吸着した布状部材を収容可能な第２空間と、側面に形成された挿通孔と、を備え、前記貯留部の前記第１空間に回転可能に配置される回転体形状の収容部と、
前記貯留部に前記収容部が収容された状態において、前記挿通孔を閉じた状態と開いた状態とに切り替え可能な開閉部と、を有する医療デバイス。
【請求項２】
前記開閉部は、前記挿通孔に移動可能に配置される移動部材を備え、
前記開閉部は、前記貯留部に対して前記収容部が回転しない状態において前記移動部材によって前記挿通孔を閉じた状態とし、
前記貯留部に対して前記収容部が回転している状態において前記移動部材を前記挿通孔から移動させ、前記挿通孔を開いた状態にする、請求項１に記載の医療デバイス。
【請求項３】
前記収容部を回転させる動力部と、
前記貯留部における前記開口部を閉じるように前記貯留部に取り付けられる蓋部と、をさらに有し、
前記動力部は、前記収容部に取り付けられ前記収容部を回転させるシャフトと、前記蓋部に取り付けられるとともに前記シャフトに連結されて前記シャフトを回転させるモータと、を備える、請求項１又は２に記載の医療デバイス。
【請求項４】
前記モータは、前記蓋部において前記収容部を配置する前記第１空間とは逆側に設置される、請求項３に記載の医療デバイス。
【請求項５】
前記収容部は、
前記挿通孔及び前記第２空間を備えた第１バスケットと、
前記挿通孔を備えるとともに前記第１バスケットよりも大きく形成された第２バスケットと、を備え、
前記開閉部は、
前記第１バスケット及び前記第２バスケットに接合され弾性力を用いて前記第２バスケットにより前記第１バスケットの前記挿通孔が閉じた状態に保持する保持部材と、
前記保持部材による弾性力に抗して前記第１バスケットと前記第２バスケットとの間隔を規制して前記第１バスケットの前記挿通孔と前記第２バスケットの前記挿通孔とを連通させる規制部と、を備える、請求項１に記載の医療デバイス。
【請求項６】
前記貯留部には、前記第１空間に生理食塩水が貯留される、請求項１〜５のいずれか１項に記載の医療デバイス。
【発明の詳細な説明】
【技術分野】
【０００１】
本発明は、医療デバイスに関する。
【背景技術】
【０００２】
外科手術では、手術の際に出る血液や体液を吸収するためにガーゼ（布状部材）が使用されている（特許文献１参照）。
【先行技術文献】
【特許文献】
【０００３】
【特許文献１】特許第５８３８４６４号明細書
【発明の概要】
【発明が解決しようとする課題】
【０００４】
患者への輸血に関して、同種血（他人の血液）輸血による感染症の防止や同種血輸血による免疫能の低下を防止するために、患者自身の血液を輸血する自己血輸血が注目されている。また、自己血輸血の中でも手術の際に比較的大量の出血を伴う場合には血液を手術中に回収し患者に再度輸血する「術中回収式自己血輸血」が注目されている。
【０００５】
一般的に、外科手術の際に使用されたガーゼは、手術が終了した後、血液を吸収した状態でそのまま廃棄されている。本発明者等は、一枚のガーゼから得ることのできる血液量に着目し、ガーゼからの効率的な血液の回収方法について鋭意検討を重ねた。
【０００６】
そこで本発明は、手術の最中に患者から出る血液を効率的に回収できる医療デバイスを提供することを目的とする。
【課題を解決するための手段】
【０００７】
上記目的を達成する本発明に係る医療デバイスは、液体を貯留可能な第１空間と、前記第１空間に連通する開口部と、を備える貯留部と、体液を吸着した布状部材を収容可能な第２空間と、側面に形成された挿通孔と、を備え、前記貯留部の前記第１空間に回転可能に配置される回転体形状の収容部と、前記貯留部に前記収容部が収容された状態において、前記挿通孔を閉じた状態と開いた状態とに切り替え可能な開閉部と、を有する。
【発明の効果】
【０００８】
本発明に係る医療デバイスは、上記のように構成しているため、手術の最中に患者から出る血液を効率的に回収できる。
【図面の簡単な説明】
【０００９】
【図１】本発明の第１実施形態に係る医療デバイスを示す斜視図である。
【図２】図１の分解斜視図である。
【図３】図１に係る医療デバイスの内部を示す平面図である。
【図４】図１に示す医療デバイスの軸中心を通過する断面図である。
【図５】収容部の拡大断面図であって、開閉部を構成する移動部材がスリットを移動する様子を示す図である。
【図６】本発明の第２実施形態に係る医療デバイスを示す分解斜視図である。
【図７】第２実施形態に係る医療デバイスの軸中心を通過する断面図である。
【図８】第１バスケットのスリットから流体を通過させる際について説明する部分断面図である。
【図９】第１バスケットのスリットから流体を通過させる際について説明する部分断面図である。
【発明を実施するための形態】
【００１０】
＜第１実施形態＞
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。
【００１１】
図１〜図５は本発明の第１実施形態に係る医療デバイスの説明に供する図である。本実施形態に係る医療デバイス１００は、一例として外科出術の際に患者から出る血液を吸着したガーゼから血液を回収するために使用される。医療デバイス１００は、図１、２に示すように容器１０と、収容部２０と、開閉部４０と、動力部５０と、蓋部６０と、を有する。なお、本明細書では血液等の体液を吸着した部材を布状部材と呼び、以下では一例としてガーゼについて説明する。しかし、布状部材は、血液等の体液を吸着できれば、具体的な部材はガーゼに限定されない。以下、詳述する。
【００１２】
（容器）
容器１０は、外科手術等の際に患者から出る血液を回収するために用いられる。容器１０は、図２に示すように収容空間１１と、開口部１２と、側面１３と、底面１４と、を有する。容器１０は、略円筒形状に形成し、円筒形状の上部を開口部１２として開口している。
【００１３】
側面１３は、円筒形状の曲面部分にあたり、放射方向内方において側面１３によって包囲される部分が収容空間１１にあたる。収容空間１１は本明細書において血液等の液体を貯留可能な第１空間にあたる。収容空間１１には後述するガーゼＧから分離された血液成分が貯留される。開口部１２が収容空間１１と連通する。底面１４は、容器１０の下部にあたる部位であり、本実施形態では略円形状にて構成している。
【００１４】
容器１０は、本実施形態において円筒形状にて構成しているが、後述するバスケット３０等やガーゼＧ等を収容できれば、形状は円筒に限定されない。上記以外にも例えば円錐台形状であってもよいし、側面から底面にかけてＲ形状（曲面形状）に形成してもよい。容器１０は本明細書において貯留部に相当する。
【００１５】
（収容部）
収容部２０は、図２に示すようにバスケット３０を有する。バスケット３０は、容器１０の収容空間１１に回転可能に配置される部材である。バスケット３０は、図２に示すように側面３１と、底面３５と、収容空間３９と、を有する。収容空間３９は、本明細書において第２空間に相当する。
【００１６】
バスケット３０は、血液等の体液を吸着したガーゼＧ等の布状部材を収容可能な収容空間３９を備えた回転体形状によって構成している。バスケット３０は、容器１０と同様に回転体形状の一つである略円筒形状に形成される。側面３１は、図４に示すように円筒形状の側面部分にあたり、縁部３２と、櫛状部３３と、スリット３４と、を含む。縁部３２は、バスケット３０の側面３１における軸方向の上端に設けられる。
【００１７】
櫛状部３３は、図５に示すように外側面３３ａと、内側面３３ｂと、周方向側面３３ｃ、３３ｄと、を有する。櫛状部３３は、側面３１の縁部３２と底面３５の縁部３６とを結ぶように設けられる（形成される）。櫛状部３３は、外側面３３ａが縁部３２、３６の外側面よりも放射方向において内側に位置している。
【００１８】
櫛状部３３の外側面３３ａ及び内側面３３ｂは、図５に示すように円弧形状にて構成している。周方向側面３３ｃ、３３ｄは、櫛状部３３の周方向を向くように形成される。周方向側面３３ｃは、バスケット３０の軸中心からおよそ放射方向に沿って形成している。一方、周方向側面３３ｄは、バスケット３０の軸中心から角度方向時計回りに所定角度、本実施形態では略４５度程度傾いて形成している。
【００１９】
スリット３４は、バスケット３０の回転体形状における側面３１に形成される。スリット３４は、バスケット３０の収容空間３９に収容されたガーゼＧ等から分離される血液をバスケット３０の収容空間３９よりも外部にあたる容器１０の収容空間１１に移動可能にする。スリット３４は、本実施形態において櫛状部３３をバスケット３０の軸中心を基準に角度方向に等間隔で設けることによって隣接する櫛状部３３同士の間に形成される。しかし、ガーゼＧ等から分離される血液成分をバスケット３０の収容空間３９よりも外部の容器１０の収容空間１１に移動できれば、スリット３４の配置の態様はこれに限定されない。スリット３４は、本明細書において挿通孔にあたる。
【００２０】
底面３５は、図４、５に示すようにバスケット３０の底部にあたり、縁部３６と、溝部３７と、取り付け部３８と、を有する。縁部３６は、バスケット３０における側面３１の縁部３２と対になり、バスケット３０の下部に設けられる。縁部３６の内部には、図５に示すように後述する開閉部４０の移動部材４１を放射方向内方に付勢する付勢部材４２が設置される。付勢部材４２は、縁部３６の内部に設置（配置）され、付勢部材４２の端部は、縁部３６の外周縁の内壁部と移動部材４１とにそれぞれ接続されている。付勢部材４２は、縁部３２においても縁部３６と同様に設置（配置）される。
【００２１】
溝部３７は、縁部３６の外周付近に形成される。溝部３７は、後述する開閉部４０の移動部材４１を溝部３７に沿わせて移動可能にする。溝部３７は、図示していないが縁部３２にも同様に設けられる。
【００２２】
取り付け部３８は、動力部５０のモータ５２によって回転するシャフト５１の取り付け部位にあたる。取り付け部３８は、本実施形態においてシャフト５１がバスケット３０から意図せずに外れないように、２つの突起形状を所定間隔離間し、２つの突起の間にバスケット３０を取り付けるように構成している。これにより、バスケット３０は、シャフト５１の動作に連動して回転できるようになる。なお、取り付け部３８は、シャフト５１に連動して回転できれば、上記以外の構成を採用してもよい。
【００２３】
（開閉部）
開閉部４０は、容器１０に収容部２０が収容された状態においてスリット３４を閉じた状態と開いた状態とに切り替え可能にする。開閉部４０は、図５に示すように移動部材４１と、付勢部材４２と、を有する。移動部材４１は、収容部２０の溝部３７を移動して、スリット３４の開閉を切り替える。移動部材４１は、図５に示すように外側面４１ａと、内側面４１ｂと、周方向側面４１ｃ、４１ｄと、を有する。
【００２４】
外側面４１ａは、バスケット３０が回転しない状態においてバスケット３０の側面３１の櫛状部３３の外側面３３ａと連続した略同一曲面に位置する。内側面４１ｂは、外側面４１ａと同様にバスケット３０が回転しない状態においてバスケット３０の側面３１の櫛状部３３の内側面３３ｂと連続した略同一曲面に位置する。
【００２５】
周方向側面４１ｃ、４１ｄは、バスケット３０が回転しない状態において側面３１の櫛状部３３の周方向側面３３ｃ、３３ｄと当接する。周方向側面４１ｃは、バスケット３０の周方向側面３３ｃと同様にバスケット３０の軸中心から放射方向に沿うように形成される。周方向側面４１ｄは、バスケット３０の周方向側面３３ｄと同様にバスケット３０の軸中心から角度方向時計周りに対して所定角度（例えば４５度）変位して形成している。周方向側面４１ｄの向きは、溝部３７の向きとほぼ一致する。
【００２６】
付勢部材４２は、上述のように付勢部材４２の端部を縁部３２、３６の内部における縁部３６の外周縁の内壁部と移動部材４１とにそれぞれ接続している。付勢部材４２は、容器１０に対して収容部２０が回転しない状態において移動部材４１がスリット３４を閉じるように放射方向内方に付勢する。付勢部材４２は、移動部材４１がスリット３４の開閉を切り替えできるように付勢できれば特に限定されないが、一例として弦巻バネを挙げることができる。
【００２７】
（動力部）
動力部５０は、収容部２０を容器１０に対して回転させる動力を付与する。動力部５０は、図４に示すようにシャフト５１と、モータ５２と、を有する。シャフト５１は、モータ５２と連結され、バスケット３０の取り付け部３８に取り付けられる。シャフト５１は、長尺状に形成し、蓋部６０の一方の面、本実施形態でいえば収容部２０を設置する収容空間１１において軸方向に延在して配置される。
【００２８】
モータ５２は、シャフト５１と連結され、シャフト５１を供給する駆動力を発生させる。モータ５２は蓋部６０において収容部２０を設置する容器１０の収容空間１１とは逆側に設置される。モータ５２の構成は特に限定されず、公知のモータを採用することができる。モータ５２への電力の提供についても特に限定されず、不図示の配線を用いてコンセントに接続してもよいし、電池等により電力を供給してもよい。
【００２９】
（蓋部）
蓋部６０は、容器１０における開口部１２を閉じるように容器１０に取り付けられる。蓋部６０は、図４に示すように蓋部材６１を有し、蓋部材６１は取り付け部６２と、設置部６３と、を有する。
【００３０】
蓋部材６１は、凹凸形状を設けた略円板形状にて構成している。取り付け部６２は、蓋部６０を容器１０に取り付ける部位であり、本実施形態では蓋部６０の外周に容器１０の側壁と嵌り合う突起を設けて構成している。しかし、容器１０の収容空間１１を開空間から閉空間にできれば、具体的な形状はこれに限定されない。
【００３１】
設置部６３は、蓋部材６１の略中央に設けられ、シャフト５１やモータ５２を取り付けるための凹部や溝部を形成している。設置部６３に動力部５０を取り付けることによって、シャフト５１は、蓋部６０に回転可能に設置される。
【００３２】
次に実施形態１に係る医療デバイス１００の動作について説明する。まず、容器１０の収容空間１１に収容部２０が収容されず、蓋部６０が取り付けられていない状態において容器１０の収容空間１１に液体を注入する。当該液体としては、回収した血液を患者に輸血する際に生体組織を傷つけないよう、一例として生理食塩水、より具体的には抗凝固剤入りの生理食塩水を使用することができる。次に、収容部２０のバスケット３０の収容空間３９に患者から採取された血液を含むガーゼＧを載置する。次に、動力部５０のシャフト５１を収容部２０の取り付け部３８に取り付け、収容部２０、動力部５０、及び蓋部６０を一体化する。そして、蓋部６０の取り付け部６２を容器１０の縁部に嵌め込み、蓋部６０によって容器１０の収容空間１１を閉空間にする。
【００３３】
収容空間１１を閉空間にしたら、モータ５２を動作させ、シャフト５１を回転させる。シャフト５１が回転することにより、取り付け部３８での取り付けにより収容部２０のバスケット３０がシャフト５１に連動して回転する。バスケット３０が回転すると、スリット３４に設置された開閉部４０の移動部材４１に遠心力が作用する。
【００３４】
移動部材４１は、付勢部材４２により放射方向内方に付勢されているが、遠心力が作用することにより、付勢部材４２による弾性力に抗して遠心力が移動部材４１を放射方向外方に付勢する。これにより、移動部材４１は、溝部３７に沿って放射方向外方に移動する。
【００３５】
移動部材４１が放射方向外方に移動すると、移動部材４１の周方向側面４１ｃと櫛状部３３の周方向側面３３ｃとが一致しなくなり、スリット３４が移動部材４１によって少なくとも一部覆われない状態になる。これにより、移動部材４１によって閉じていたスリット３４が開口するようになり、ガーゼＧに含まれる血液成分が遠心力によりガーゼＧから分離する。ガーゼＧから分離した血液成分は、スリット３４を通過してバスケット３０の収容空間３９よりも外方の容器１０の収容空間１１に移動する。血液成分の回収の終了の判断は適宜定めることができるが、例えばバスケット３０に収容するガーゼの枚数や生理食塩水の容量に応じて定めることができる。
【００３６】
ガーゼＧから所定量の血液成分が回収できたら、モータ５２の動作を停止する。モータ５２の停止に伴ってシャフト５１の回転が減衰して回転が止まり、これに連動してバスケット３０の回転が停止する。バスケット３０の回転が停止することにより、移動部材４１に遠心力が作用しなくなり、これにより付勢部材４２が移動部材４１を放射方向内方に付勢し、移動部材４１がスリット３４を閉じた状態にする。
【００３７】
モータ５２が停止したら、容器１０に対する蓋部６０の取り付け部６２による嵌合を解除し、収容部２０及び動力部５０と共に蓋部６０を容器１０から取り外す。収容部２０のバスケット３０は清潔にふき取り、採取の終了したガーゼＧは処分する。
【００３８】
以上のように、本実施形態の医療デバイス１００は、容器１０と、収容部２０と、開閉部４０と、を有する。容器１０は、液体を貯留可能な収容空間１１と、収容空間１１に連通する開口部１２と、を備える。収容部２０は、血液等の体液を吸着したガーゼＧを収容可能な収容空間３９と、側面３１に形成されたスリット３４と、を備え、容器１０の収容空間１１に回転可能に配置された回転体形状を備える。開閉部４０は、容器１０に収容部２０が収容された状態において、スリット３４を閉じた状態及び開いた状態に切り替え可能にする。
【００３９】
医療デバイス１００は、上記のように構成しているため、開閉部４０によりスリット３４が開けば回収する血液成分を収容空間１１において回収することができ、スリット３４が閉じれば、収容空間３９への血液成分の逆流を防止できる。よって、手術の最中等に患者から発生する血液を効率的に回収することができる。
【００４０】
また、開閉部４０はスリット３４に移動可能に配置される移動部材４１を備える。開閉部４０は、容器１０に対して収容部２０が回転しない状態において移動部材４１によってスリット３４を閉じた状態にする。開閉部４０は、容器１０に対して収容部２０が回転している状態において移動部材４１をスリット３４から移動させ、スリット３４を開いた状態にする。
【００４１】
このように構成することによって、ガーゼＧから血液を分離できる収容部２０の回転時にスリット３４を開くようにでき、収容部２０が回転しなければスリット３４は閉じるため、収容空間１１に移動した血液は収容空間３９に戻らないか、又は戻りにくい。よって、一枚のガーゼＧから効率的に血液を回収することができる。
【００４２】
また、医療デバイス１００は、収容部２０を回転させる動力部５０と、容器１０における開口部１２を閉じるように容器１０に取り付けられる蓋部６０と、を有する。動力部５０は、収容部２０の取り付け部３８に取り付けられ、収容部２０のバスケット３０を回転させるシャフト５１と、蓋部６０に取り付けられるとともにシャフト５１に連結されてシャフト５１を回転させるモータ５２と、を備える。
【００４３】
このように構成することによって、収容部２０のバスケット３０を回転させ、ガーゼＧに含まれる血液成分を収容空間１１に移動させて回収することができる。
【００４４】
また、動力部５０のモータ５２は、蓋部６０において収容部２０を配置する収容空間１１とは逆側に設置するように構成している。そのため、収容空間３９がモータで占有されることがない分、血液の回収に必要なガーゼをより多く設置でき、血液の早期回収に寄与することができる。
【００４５】
また、容器１０の収容空間１１には使用時に生理食塩水が貯留された状態で血液成分が回収される。そのため、回収した血液成分を安全に生体に輸血することができる。
【００４６】
＜第２実施形態＞
図６は第２実施形態に係る医療デバイスを示す分解斜視図、図７は医療デバイスの軸中心を通過する断面図である。図８、９は、第１バスケットのスリットから流体を通過させる際について説明する部分断面図である。
【００４７】
実施形態１では収容部２０が一のバスケット３０とバスケット３０のスリット３４に移動可能に設置された移動部材４１によって構成すると説明したが、以下のように構成することもできる。第２実施形態に係る医療デバイス１００ａは、図６に示すように、容器１０と、収容部２０ａと、開閉部４０ａと、動力部５０ａと、蓋部６０ａと、を有する。なお、実施形態１と同一の符号には共通の符号を使用し、容器１０は第１実施形態と同様であるため、説明を省略する。
【００４８】
（収容部）
収容部２０ａは、図６に示すようにバスケット３０ａ、３０ｂと、を有する。バスケット３０ａ、３０ｂは、後述する開閉部４０ａによって収容部２０ａの内部に収容されたガーゼＧに含まれる血液成分の流出を切り替えるために設けられる。バスケット３０ａは本明細書において第１バスケットにあたり、バスケット３０ｂは、第２バスケットにあたる。バスケット３０ａは、図６に示すように側面３１ａと、底面３５ａと、収容空間３９と、を有する。
【００４９】
側面３１ａは、図６に示すように縁部３２ａと、櫛状部３３ｅと、スリット３４ａと、を有する。バスケット３０ａは、第１実施形態と同様に有底円筒の回転体状に形成され、縁部３２ａは図７に示すように開口部の設けられた上部に位置する。縁部３２ａは、内側を切り欠いて構成しており、当該部位が蓋部６０ａの回転カバー６４の外周係合部６４ａと係合する。これにより、回転カバー６４の回転が伝達され、バスケット３０ａが回転する。
【００５０】
櫛状部３３ｅは、図７に示すようにスリット３４ａを軸方向に複数形成するためにバスケット３０ａの側面３１ａの軸方向において一定間隔にて設けられる。別の言い方をすれば、櫛状部３３ｅとスリット３４ａとは、軸方向において互い違いに設けられる。櫛状部３３ｅは、第２実施形態において略円弧を底面とする筒形状に構成されるが、スリット３４ａから血液等の流体を流通できれば、櫛状部３３ｅの形状はこれに限定されない。
【００５１】
底面３５ａは、図７に示すように平面で構成され、動力部５０ａのシャフト５１ａを取り付ける穴形状の取り付け部３８ａを有する。取り付け部３８ａは、開閉部４０ａを構成する突起４２ａと軸方向において当接し、これにより、バスケット３０ａはバスケット３０ｂとの軸方向の間隔が規制される。収容空間３９は、第１実施形態と同様であるため、説明を省略する。
【００５２】
バスケット３０ｂは、バスケット３０ａと同様の構成を備える。すなわち、側面３１ｂと底面３５ｂと、を備える。そして、側面３１ｂは縁部３２ｂ、櫛状部３３ｆ、スリット３４ｂを備え、底面３５ｂは取り付け部３８ｂを備える。バスケット３０ｂはバスケット３０ａよりも径方向及び軸方向の寸法を大きくした程度であり、収容空間３９以外の各構成はバスケット３０ａと同様であるため、詳細な説明を省略する。
【００５３】
（開閉部）
開閉部４０ａは、付勢部材４３と、突起４４、４５と、を有する。付勢部材４３は、バスケット３０ａの底面３５ａとバスケット３０ｂの底面３５ｂの底面３５ｂとの間に配置される。付勢部材４３は、バスケット３０ａ及びバスケット３０ｂと溶接等により接合され、これによりバスケット３０ａとバスケット３０ｂとを一体に構成する。付勢部材４３は、本実施形態において弦巻バネにて構成し、動力部５０ａのシャフト５１ａの周囲に４つ、角度方向に略等間隔で配置される。しかし、バスケット３０ａとバスケット３０ｂとの軸方向の間隔を調整でき、かつ、バスケット３０ａとバスケット３０ｂとを一体化できれば、付勢部材の部品、個数及び配置はこれに限定されない。付勢部材４３は、本明細書において保持部材にあたる。
【００５４】
突起４４、４５は、動力部５０ａのシャフト５１ａに設けられる。突起４４は、バスケット３０ａの底面３５ａと当接し、突起４５はバスケット３０ｂの底面３５ｂと当接する。突起４４、４５は、上記のようにバスケット３０ａの底面３５ａ及びバスケット３０ｂの底面３５ｂと当接した状態において付勢部材４３の弾性力に抗してバスケット３０ａとバスケット３０ｂの軸方向の距離を変化させる。突起４４、４５は、本明細書において規制部にあたる。
【００５５】
（動力部）
動力部５０ａは、図７に示すようにシャフト５１ａと、ハンドル５３と、螺旋状部材５４と、変換部材５５と、付勢部材５６と、を有する。シャフト５１ａは、バスケット３０ａ及びバスケット３０ｂを回転させるために後述する蓋部６０ａの回転カバー６４と一体に構成される。シャフト５１ａには、上述した突起４４、４５が設けられる。突起４４、４５は、軸方向に所定の間隔で設けられる。突起４４と突起４５の間隔は、付勢部材４３の軸方向における無荷重時の長さ（自由長とも言う）よりも小さく構成している。これにより、バスケット３０ａとバスケット３０ｂとを突起４４から突起４５の間に配置した状態で付勢部材４３による弾性力が作用する。
【００５６】
ハンドル５３は、蓋部６０ａに対して軸方向に移動可能に取り付けられる。ハンドル５３は、本実施形態において中空の略円筒形状にて構成しているが、蓋部６０ａに対して移動可能に取り付けできれば、形状はこれに限定されない。なお、図７ではハンドル５３が蓋部６０ａに対して下方に押し込んだ状態を図示している。
【００５７】
螺旋状部材５４は、図７に示すようにハンドル５３の内部に取り付けられる。螺旋状部材５４には螺旋形状が形成され、当該螺旋形状により変換部材５５を回転動作させる。
【００５８】
変換部材５５は、ハンドル５３による軸方向の並進運動を回転運動に変換するために利用される。変換部材５５は、図７に示すように略中空の円筒形状に形成され、挿通部５５ａと、係合部５５ｂと、を有する。挿通部５５ａは穴形状に構成され、螺旋状部材５４の螺旋形状が軸方向に移動可能に挿入される。螺旋状部材５４の螺旋形状が挿通部５５ａを挿通すると、変換部材５５に対する螺旋状部材５４の軸方向における相対的な位置関係が変わる際に螺旋状部材５４の螺旋形状によって、変換部材５５が回転する。係合部５５ｂは、螺旋状部材５４によって変換部材５５に生じた回転運動を蓋部６０ａを構成する回転カバー６４に伝達する。係合部５５ｂは、略円筒状の平面部分において角度方向に所定の間隔で配置し軸方向に突出して形成した突起によって構成している。
【００５９】
付勢部材５６は、ハンドル５３と蓋部６０ａの回転カバー６４に取り付けられる。付勢部材５６は、軸方向に弾性力を発揮し、蓋部６０ａの蓋部材６１ａに対してハンドル５３を軸方向に突出及び埋没できるように付勢する。付勢部材５６は、本実施形態において弦巻バネによって構成している。
【００６０】
（蓋部）
蓋部６０ａは、図７に示すように蓋部材６１ａと、回転カバー６４と、を有する。蓋部材６１ａは、取り付け部６２と、設置部６３ａと、を有する。取り付け部６２は、第１実施形態と同様であるため、説明を省略する。設置部６３ａは、ハンドル５３を軸方向に移動可能に取り付けている。
【００６１】
回転カバー６４は、図７に示すように外周係合部６４ａ、６４ｂと、内周係合部６４ｃと、取り付け部６４ｄと、を有する。回転カバー６４は、蓋部材６１ａに対して回転可能に取り付けられる。外周係合部６４ａは、バスケット３０ａの縁部３２ａの側面と当接し、動力部５０ａにより生じた回転力をバスケット３０ａに伝達する。外周係合部６４ｂは、バスケット３０ｂの縁部３２ｂの側面と当接し、動力部５０ａにより生じた回転力をバスケット３０ｂに伝達する。
【００６２】
内周係合部６４ｃは、回転カバー６４の中央に設けられた円筒状部分の上面から突出して形成される。内周係合部６４ｃは、角度方向に４箇所、例えば９０度程度の間隔で形成される。内周係合部６４ｃは、動力部５０ａの変換部材５５の係合部５５ｂと周方向において当接し、変換部材５５の回転運動を回転カバー６４に伝達する。内周係合部６４ｃは、回転カバー６４の中央に設けられた円筒形状の上面において変換部材５５の係合部５５ｂに対応して角度方向に所定個数設けた突起形状にて構成している。取り付け部６４ｄは、ハンドル５３を蓋部材６１ａに対して軸方向に移動させる付勢部材５６を設置する。
【００６３】
次に、第２実施形態に係る医療デバイス１００ａの動作について説明する。まず、第１実施形態と同様に容器１０の収容空間１１に収容部２０ａを収容せず、蓋部６０ａを取り付けない状態において容器１０の収容空間１１に生理食塩水を注入する。次に、収容部２０ａのバスケット３０ａの収容空間に血液が浸透したガーゼＧを所定枚数載置する。次に、動力部５０ａのシャフト５１ａをバスケット３０ａ、３０ｂに取り付ける。
【００６４】
シャフト５１ａをバスケット３０ａ、３０ｂに取り付ける前の時点では、付勢部材４３の弾性力によりバスケット３０ａがバスケット３０ｂから軸方向に離間するように付勢される。これにより、バスケット３０ａのスリット３４ａは、図８に示すようにバスケット３０ｂの櫛状部３３ｆによって閉じた状態となる。この状態ではガーゼＧから分離する可能性のある血液成分はバスケット３０ａ、３０ｂのスリット３４ａ、３４ｂを通過して外部に漏れ出ない。
【００６５】
ここで、シャフト５１ａをバスケット３０ａ、３０ｂの取り付け部３８ａ、３８ｂに取り付けると、突起４４、４５によってバスケット３０ａとバスケット３０ｂの軸方向の間隔が小さくなるように規制される。そして、図９に示すようにバスケット３０ａのスリット３４ａとバスケット３０ｂのスリット３４ｂの軸方向の位置がほぼ一致する。これにより、バスケット３０ａの収容空間３９に収容されたガーゼＧから分離しうる血液成分はスリット３４ａ、３４ｂを通過して外部に移動可能になる。
【００６６】
シャフト５１ａをバスケット３０ａ、３０ｂに取り付けたら、蓋部６０ａを容器１０に取り付け、容器１０の収容空間１１を閉空間にする。収容空間１１を閉空間にしたら、ハンドル５３を軸方向において下方、すなわち容器１０の方に向かって押し込む。これにより、ハンドル５３に取り付けられた螺旋状部材５４が変換部材５５の挿通部５５ａに挿通し、変換部材５５が回転する。
【００６７】
変換部材５５が回転すると、変換部材５５に設けられた係合部５５ｂと回転カバー６４の内周係合部６４ｃとが周方向に当接して、変換部材５５の回転が回転カバー６４に伝達される。回転カバー６４が回転すると、回転カバー６４の外周係合部６４ａ、６４ｂがバスケット３０ａ、３０ｂの縁部３２ａ、３２ｂの側面と当接し、回転カバー６４の回転がバスケット３０ａ、３０ｂに伝達される。
【００６８】
これにより、バスケット３０ａ、３０ｂのスリット３４ａ、３４ｂが連通した状態でバスケット３０ａ、３０ｂが回転し、バスケット３０ａ、３０ｂに遠心力が発生する。バスケット３０ａ、３０ｂに発生した遠心力によって、ガーゼＧに含まれる血液成分は第１実施形態と同様にガーゼＧから分離して容器１０の収容空間１１に移動する。血液成分の回収の終了の判断は第１実施形態と同様に定めることができる。
【００６９】
バスケット３０ａ、３０ｂの回転が止まったら、バスケット３０ａ、３０ｂが少なくとも部分的に収容空間１１にいる状態となるように蓋部６０ａを容器１０から取り外す。そして、シャフト５１ａをバスケット３０ａ、３０ｂから取り外す。これにより、図８に示すようにバスケット３０ａに対するバスケット３０ｂの軸方向の位置が変わり、スリット３４ａが櫛状部３３ｆによって塞がれる。この状態で容器１０から蓋部６０ａを取り外し、バスケット３０ａ、３０ｂに付着した血液を清潔に拭き取り、血液回収の終了したガーゼＧは処分する。
【００７０】
以上説明したように、第２実施形態に係る医療デバイス１００ａは、収容部２０ａがバスケット３０ａ、３０ｂを備え、開閉部４０ａが付勢部材４３と、突起４４、４５と、を備える。バスケット３０ａはスリット３４ａ及び収容空間３９を備え、バスケット３０ｂはスリット３４ｂを備えると共にバスケット３０ａよりも大きく形成される。付勢部材４３は、バスケット３０ａ、３０ｂに接合され弾性力を用いてバスケット３０ｂによりバスケット３０ａのスリット３４ａが閉じた状態に保持する。突起４４、４５は付勢部材４３による弾性力に抗してバスケット３０ａとバスケット３０ｂとの間隔を規制してバスケット３０ａのスリット３４ａとバスケット３０ｂのスリット３４ｂとを連通させる。
【００７１】
このように構成することで、バスケット３０ａに対するバスケット３０ｂの相対的な位置を変化させる程度の簡易的な操作でスリット３４ａとスリット３４ｂの連通状態を容易に切り替え、血液を収容空間１１に移動させて回収することができる。
【００７２】
なお、本発明は、上述した実施形態にのみ限定されず、特許請求の範囲において種々の変更が可能である。上記ではバスケット３０と開閉部４０を備えた収容部２０をモータ５２を備えた動力部５０によって回転させる実施形態について説明したが、これに限定されない。上記以外にも第２実施形態に係るハンドル５３を含む動力部５０ａによってバスケット３０と開閉部４０を回転させるように構成してもよい。
【００７３】
また、バスケット３０の底面３５及びバスケット３０ａの底面３５ａは平面にて構成する実施形態について説明したが、これに限定されない。上記以外にも中央から放射方向外方に向かうにつれて底面の高さを載置状態での重力方向に変化させる（例えば中央から放射方向外方に向けて傾斜する）ように構成してもよい。このように構成することによって、ガーゼＧから分離した血液成分の収容空間３９から収容空間１１への移動を促進することができる。
【符号の説明】
【００７４】
１０  容器（貯留部）、
１１  収容空間（第１空間）、
１２  開口部、
１００、１００ａ  医療デバイス、
２０、２０ａ  収容部、
３０  バスケット、
３０ａ  （第１）バスケット、
３０ｂ  （第２）バスケット、
３４、３４ａ、３４ｂ  スリット（挿通孔）、
３９  収容空間（第２空間）、
４０、４０ａ  開閉部、
４１  移動部材、
４３  付勢部材（保持部材）、
４４、４５  突起（規制部）、
５０、５０ａ  動力部、
５１、５１ａ  シャフト、
５２  モータ、
６０、６０ａ  蓋部、
Ｇ  ガーゼ（布状部材）。
【図１】
2018138093.tif 000003
【図２】
2018138093.tif 000004
【図３】
2018138093.tif 000005
【図４】
2018138093.tif 000006
【図５】
2018138093.tif 000007
【図６】
2018138093.tif 000008
【図７】
2018138093.tif 000009
【図８】
2018138093.tif 000010
【図９】
2018138093.tif 000011